(57)【要約】【課題】雨水がひさし部の前端面を伝って顔面に流れ落ちたり、ひさし部の前側部分が顔面に張り付いたりすることのないレインコートのフードを提供する。【解決手段】前面開口部を設けたレインコートのフード１であって、上記前面開口部の前端面に沿うようにして上記前端面もしくはその後側近傍部から堰止め片１１を、上記フード１の上面との間に所定の隙間を保持しながら後方に延ばし、上記隙間に流入した雨水を上記堰止め片１１で堰止めるように構成している。【選択図】図１
0003098290.tif 000002
【実用新案登録請求の範囲】
【請求項１】
前面開口部を設けたレインコートのフードであって、上記前面開口部の前端面に沿うようにして上記前端面もしくはその後側近傍部から堰止め片を、上記フードの上面との間に所定の隙間を保持しながら後方に延ばし、上記隙間に流入した雨水を上記堰止め片で堰止めるように構成したことを特徴とするレインコートのフード。
【請求項２】
上記前面開口部の前端面に沿うようにして上記フードを、その前端面から所定距離後方に寄った部分で後側に折り返し、この折り返し片と、この折り返し片に対向する上記フードの部分との間に所定の隙間を保持することにより、上記折り返し片で上記堰止め片を構成するようにした請求項１記載のレインコートのフード。
【請求項３】
上記前面開口部の前端面に沿うようにして上記フードを、その前端面から所定距離後方に寄った部分で後側に折り返し、この折り返し片をその前端面に沿うようにして上記折り返し片の中央部分から前側に折り曲げ、この折り曲げ部分の前側縁部を上記折り返し片の前側縁部に固着し、この折り返し片と、この折り返し片に対向する上記フードの部分との間に所定の隙間を保持することにより、上記折り返し片で上記堰止め片を構成するようにした請求項１記載のレインコートのフード。
【請求項４】
上記折り返したことにより形成される折り返し部において、その全幅にわたり連続的に、上記折り返し片と、この折り返し片に対向する上記フードの部分とが固着されている請求項２または３記載のレインコートのフード。
【請求項５】
上記折り返したことにより形成される折り返し部において、部分的に、上記折り返し片と、この折り返し片に対向する上記フードの部分とが固着されている請求項２または３記載のレインコートのフード。
【請求項６】
上記フードが、頭部を覆う袋部と、この袋部の前面開口部に設けたひさし部とからなり、このひさし部の前面開口部の前端面に沿うようにして上記前端面もしくはその後側近傍部から堰止め片を、上記ひさし部の上面との間に所定の隙間を保持しながら後方に延ばし、上記ひさし部が透明な合成樹脂シートで形成され、上記袋部とは別体に作製されている請求項１〜５のいずれか一項に記載のレインコートのフード。
【請求項７】
上記フードが、頭部を覆う袋部と、この袋部の前面開口部に設けたひさし部とからなり、このひさし部の前面開口部の前端面に沿うようにして上記前端面もしくはその後側近傍部から堰止め片を、上記ひさし部の上面との間に所定の隙間を保持しながら後方に延ばし、上記袋部とひさし部とが同じ材質の合成樹脂シートで一体成形されている請求項１〜５のいずれか一項に記載のレインコートのフード。
【請求項８】
上記袋部の前面開口部の全体からひさし部が突設している請求項６または７記載のレインコートのフード。
【請求項９】
上記フードが、頭部を覆う袋部と、この袋部の前面開口部の全体から突設した透明な合成樹脂シート製のひさし部とからなり、上記ひさし部が、上記袋部とは別体に作製され、上記ひさし部の前面開口部の前端面に沿うようにして上記ひさし部を、その前端面から所定距離後方に寄った部分で後側に折り返し、この折り返し片をその前端面に沿うようにして上記折り返し片の中央部分から前側に折り曲げ、上記折り返したことにより形成される折り返し部において、その全幅にわたり連続的に、上記折り曲げ部分の前側縁部と、上記折り返し片の前側縁部と、これら両前側縁部に対向する上記ひさし部の部分とを固着し、上記折り返し片と、この折り返し片に対向する上記フードの部分との間に所定の隙間を保持することにより、上記折り返し片で上記堰止め片を構成した請求項１記載のレインコートのフード。
【請求項１０】
上記フードと堰止め片とがそれぞれ別体である請求項１記載のレインコートのフード。
【請求項１１】
上記堰止め片が、一枚のシートをフードの前面開口部の前端面に沿うようにして上記シートの中央部分から折り曲げたのち重なり合う側縁部同士を接合したものである請求項１０記載のレインコートのフード。
【考案の詳細な説明】
【０００１】
【考案の属する技術分野】
本考案は、レインコートのフードに関するものである。
【０００２】
【従来の技術】
従来から、レインコートは、ズボンと、コート（上着）と、このコートに着脱自在に装着されるフードとからなるセパレートタイプのもの等、各種タイプのものが販売されている。また、上記のフードは、通常、図８に示すように、人の首を覆う首カバー部３１と、人の頭部を覆う袋部３２と、この袋部３２の前面開口部（顔面露出用開口部）から突設されるひさし部３３と、マスク片３４とを備えており、上記ひさし部３３で、雨水が人の顔面に当たるのを防ぐようにしている。また、上記ひさし部３３は、１枚の合成樹脂製シートで構成されており、その前端面は所定の形状にカットされている（例えば、特許文献１参照。）。図において、３５はホックであり、コートのホック（図示せず）に着脱自在に固定される。
【０００３】
【特許文献１】
登録実用新案第３０５３６１１号公報
【０００４】
【考案が解決しようとする課題】
しかしながら、上記のフードでは、ひさし部３３の前端面は、１枚の合成樹脂製シートを所定の形状にカットしただけの形状であるため、ひさし部３３の上面を流下してきた雨水が、ひさし部３３の前端面を伝って顔面に流れ落ちるという問題や、ひさし部３３の前端面の強度が弱く、ひさし部３３の前側部分が風等により顔面に張り付くという問題がある。
【０００５】
本考案は、このような事情に鑑みなされたもので、雨水がひさし部の前端面を伝って顔面に流れ落ちたり、ひさし部の前側部分が顔面に張り付いたりすることのないレインコートのフードの提供をその目的とする。
【０００６】
【課題を解決するための手段】
上記の目的を達成するため、本考案のレインコートのフードは、前面開口部を設けたレインコートのフードであって、上記前面開口部の前端面に沿うようにして上記前端面もしくはその後側近傍部から堰止め片を、上記フードの上面との間に所定の隙間を保持しながら後方に延ばし、上記隙間に流入した雨水を上記堰止め片で堰止めるように構成したという構成をとる。
【０００７】
すなわち、本考案のレインコートのフードは、その前面開口部の前端面に沿うようにして上記前端面もしくはその後側近傍部から堰止め片を、上記フードの上面との間に所定の隙間を保持しながら後方に延ばすようにしている。そして、上記隙間に流入した雨水を上記堰止め片で堰止めるように構成している。したがって、本考案では、フードの上面を流下してきた雨水は、上記隙間内に流入し、上記堰止め片で堰止められたのち、この堰止め片に沿って上記隙間内を流下し、上記隙間から流出するため、フードの前端面から顔面に流れ落ちることがなくなる。しかも、フードの前端面もしくはその後側近傍部から堰止め片を後方に延ばしているため、フードの前端面もしくはその後側近傍部が堰止め片で補強されて強度が増しており、顔面に張り付くこともなくなる。なお、本考案のレインコートとしては、セパレートタイプのものや一体型のもの等、各種タイプのもの（フードがコートに着脱自在に装着できるものや、フードとコートが一体成形されているもの等を含む）を用いることができる。また、本考案のレインコートは、盆栽の手入れ等の屋外作業用，釣り等のアウトドア用，ジョギング・ゴルフ等のレジャー・スポーツ用，通勤・通学用，ペット用等、各種用途に用いられる。
【０００８】
本考案において、上記前面開口部の前端面に沿うようにして上記フードを、その前端面から所定距離後方に寄った部分で後側に折り返し、この折り返し片と、この折り返し片に対向する上記フードの部分との間に所定の隙間を保持することにより、上記折り返し片で上記堰止め片を構成するようにした場合には、上記フードを折り返すことで、上記堰止め片を設けることができるため、この堰止め片をフードと別体で作製する必要がなく、部品点数が少なく、在庫管理等の管理面が簡単化される。
【０００９】
本考案において、上記前面開口部の前端面に沿うようにして上記フードを、その前端面から所定距離後方に寄った部分で後側に折り返し、この折り返し片をその前端面に沿うようにして上記折り返し片の中央部分から前側に折り曲げ、この折り曲げ部分の前側縁部を上記折り返し片の前側縁部に固着し、この折り返し片と、この折り返し片に対向する上記フードの部分との間に所定の隙間を保持することにより、上記折り返し片で上記堰止め片を構成するようにした場合には、上記フードを折り返すことで、上記堰止め片を設けることができるため、この堰止め片をフードと別体で作製する必要がなく、部品点数が少なく、在庫管理等の管理面が簡単化される。しかも、上記折り返し片が二重壁構造になるため、その強度が強くなる。しかも、上記二重壁構造間に形成される空間が緩衝作用をし、風等の影響を受けても、この影響を弱めることができるため、フードの前側部分が風等により顔面に張り付くことが殆どなくなる。
【００１０】
本考案において、上記折り返したことにより形成される折り返し部において、その全幅にわたり連続的に、上記折り返し片と、この折り返し片に対向する上記フードの部分とが固着されている場合には、この固着により、上記折り返し部の強度が大きく向上し、フードの前側部分が顔面に張り付くことがなくなる。しかも、上記折り返し部の全幅にわたり連続的に固着しているため、上記強度が非常に強くなる。なお、上記の固着する方法としては、熱圧着，超音波圧接等の各種溶着や接着等により固着する方法でもよく、ミシン等で縫うことにより固着する方法でもよい。
【００１１】
本考案において、上記折り返したことにより形成される折り返し部において、部分的に、上記折り返し片と、この折り返し片に対向する上記フードの部分とが固着されている場合には、この固着により、上記折り返し部の強度が大きく向上し、フードの前側部分が顔面に張り付くことがなくなる。なお、部分的に固着する方法としては、略等間隔で点付け状に固着する方法が含まれる。
【００１２】
本考案において、上記フードが、頭部を覆う袋部と、この袋部の前面開口部に設けたひさし部とからなり、このひさし部の前面開口部の前端面に沿うようにして上記前端面もしくはその後側近傍部から堰止め片を、上記ひさし部の上面との間に所定の隙間を保持しながら後方に延ばし、上記ひさし部が透明な合成樹脂シートで形成され、上記袋部とは別体に作製されている場合には、袋部と、透明な合成樹脂シートで形成されたひさし部とが別体に作製されているものに、本考案のレインコートのフードを用いることができる。
【００１３】
本考案において、上記フードが、頭部を覆う袋部と、この袋部の前面開口部に設けたひさし部とからなり、このひさし部の前面開口部の前端面に沿うようにして上記前端面もしくはその後側近傍部から堰止め片を、上記ひさし部の上面との間に所定の隙間を保持しながら後方に延ばし、上記袋部とひさし部とが同じ材質の合成樹脂シートで一体成形されている場合には、袋部とひさし部とが同じ材質の合成樹脂シートで一体成形されているものに、本考案のレインコートのフードを用いることができる。
【００１４】
本考案において、上記袋部の前面開口部の全体からひさし部が突設している場合には、このひさし部で、上記袋部の前面開口部から露出する顔面の全体に雨水が当たるのを防ぐことができる。
【００１５】
本考案において、上記フードが、頭部を覆う袋部と、この袋部の前面開口部の全体から突設した透明な合成樹脂シート製のひさし部とからなり、上記ひさし部が、上記袋部とは別体に作製され、上記ひさし部の前面開口部の前端面に沿うようにして上記ひさし部を、その前端面から所定距離後方に寄った部分で後側に折り返し、この折り返し片をその前端面に沿うようにして上記折り返し片の中央部分から前側に折り曲げ、上記折り返したことにより形成される折り返し部において、その全幅にわたり連続的に、上記折り曲げ部分の前側縁部と、上記折り返し片の前側縁部と、これら両前側縁部に対向する上記ひさし部の部分とを固着し、上記折り返し片と、この折り返し片に対向する上記フードの部分との間に所定の隙間を保持することにより、上記折り返し片で上記堰止め片を構成した場合には、袋部と透明な合成樹脂シート製のひさし部とが別体に作製されているものに、本考案のレインコートのフードを用いることができる。しかも、上記ひさし部が袋部の前面開口部の全体から突設しているため、上記ひさし部で、袋部の前面開口部から露出する顔面の全体に雨水が当たるのを防ぐことができる。しかも、上記ひさし部を折り返すことで、上記堰止め片を設けることができるため、この堰止め片をひさし部と別体で作製する必要がなく、部品点数が少なく、在庫管理等の管理面が簡単化される。しかも、上記折り返し片が二重壁構造になっているため、その強度が強い。しかも、上記二重壁構造間に形成される空間が緩衝作用をし、風等の影響を受けても、この影響を弱めることができるため、ひさし部の前側部分が風等により顔面に張り付くことが殆どなくなる。しかも、上記固着により、上記折り返し部の強度が大きく向上し、ひさし部の前側部分が顔面に張り付くことがなくなる。しかも、上記折り返し部の全幅にわたり連続的に固着しているため、上記折り返し部の強度が非常に強くなる。
【００１６】
本考案において、上記フードと堰止め片とがそれぞれ別体である場合には、上記ひさし部と堰止め片の形状をそれぞれ関係なく設定することができ、上記形状における設計の自由度が増える。
【００１７】
本考案において、上記堰止め片が、一枚のシートをフードの前面開口部の前端面に沿うようにして上記シートの中央部分から折り曲げたのち重なり合う側縁部同士を接合したものである場合には、上記堰止め片が二重壁構造になり、上記堰止め片の強度が強くなるうえ、上記二重壁構造間に形成される空間が緩衝作用をし、風等の影響を受けても、この影響を弱めることができるため、フードの前側部分が風等により顔面に張り付くことが殆どなくなる。
【００１８】
【考案の実施の形態】
つぎに、本考案の実施の形態を図面にもとづいて詳しく説明する。
【００１９】
図１および図２は本考案のレインコートのフードの一実施の形態を示している。これらの図において、１はレインコートのコート（図示せず）に着脱自在に装着されるフードであり、人の首の外周部を覆う首カバー部２と、人の頭部（顔面を除く）の外周部を覆う袋部３と、雨水が顔面に当たるのを防ぐために上記袋部３の前面開口部（顔面露出用開口部）３ａの全体（全周部分）から突設されたひさし部４と、上記首カバー部２および袋部３の裏地に取り付けられたメッシュ５（図２参照）と、上記首カバー部２の一側部（この実施の形態では、右側部）に取り付けられたマスク片６とで構成されている。また、上記首カバー部２と袋部３とは同じ合成樹脂材料（例えば、ポリエステル）により袋状に一体成形されており、上記ひさし部４は透明な合成樹脂シート（例えば、ビニールシート）からなり、上記袋部３とは別体に作製されている。図１および図２において、７〜９はホックであり、首カバー部２に設けた４個のホック７は、上記コートのホック（図示せず）に着脱自在に固定され、マスク片６に設けたホック８は、上記首カバー部２の他側部（この実施の形態では、左側部）に設けたホック９に着脱自在に固定される。
【００２０】
上記ひさし部４は、その前面開口部の前端部の全体（図２における、左右方向の全幅部分）が略一直線状に外方・後側に折り返されており、これにより、堰止め片１１（図３および図４参照）が形成されている。より詳しく説明すると、上記堰止め片１１は、図５に示すように、上記ひさし部４の前面開口部の前端面４ａに沿うようにして、その前端面４ａから所定距離（例えば、２５〜３５ｍｍ）後方に寄った部分４ｂで外方・後側に折り返したのち、この折り返し片１１ａをその中央部分１１ｂから、上記ひさし部４の前端面４ａに沿うようにして、さらに内方・前側に折り曲げ、この折り曲げ部分１１ｃ（図４参照）の前側縁部と、上記折り返し片１１ａの前側縁部と、これら両前側縁部に対応する上記ひさし部４の部分とを、上記折り返したことにより形成される折り返し部４ｂの全幅にわたって連続的に熱圧着したもので、構成されている。そして、上記堰止め片１１の折り曲げ部分１１ｃと、この折り曲げ部分１１ｃに対応する上記ひさし部４の部分との間に、流入した雨水を堰止めしたのち左右両側に流下させて左右両端から流出させるための隙間１２（図４参照）が形成されている。図１〜図４において、上記熱圧着した部分を、符号１３で表わす。また、上記堰止め片１１の左右両端部は、上記袋部３の前面開口部３ａの左右両端部に縫合等により固定されており、上記隙間１２の左右両端は開放されていない。
【００２１】
上記の構成において、雨水がひさし部４の上面を伝ってひさし部４の前端部に流れてくると、ひさし部４と堰止め片１１との間に形成された隙間１２に流入したのち、堰止め片１１で堰止められながら、隙間１２内を左右両側に流下し、左右両端から流出する。しかも、ひさし部４の前端部の全体に、上記熱圧着した部分１３を設けているため、ひさし部４の前端部の全体の強度が強くなる。
【００２２】
上記のように、この実施の形態では、上記隙間１２に流入した雨水は堰止め片１１で堰止められたのち、その左右両端部から流出するため、雨水がひさし部４の前端面を伝って顔面に流れ落ちることがなくなる。しかも、上記ひさし部４の前端部の全体の強度が強く、風等により上記ひさし部４の前端部が顔面に張り付くこともなくなる。しかも、上記堰止め片１１は、折り返し片１１ａの前側部分と折り曲げ部分１１ｃとからなる二重壁構造になっているため、その強度が強くなるうえ、上記二重壁構造間に形成される空間が緩衝作用をし、風等の影響を受けても、この影響を弱めることができ、ひさし部４の前側部分が風等により顔面に張り付くことが殆どなくなる。
【００２３】
図６は本考案のレインコートのフードの他の実施の形態を示している。この実施の形態では、ひさし部４の前端部の上半部分にだけ堰止め片１１を設けるようにしている。それ以外の部分は上記実施の形態と同様であり、同様の部分には同じ符号を付している。この実施の形態では、ひさし部４の前端部の上半部分にだけ堰止め片１１を設けているものの、人がフード１を被った時には、通常、堰止め片１１の左右両端部が人の目の位置よりも下側に位置するため、堰止め片１１の左右両端部から流出する雨水が、顔面の上部に流れ落ちて目に入ることがなくなる。しかも、上記実施の形態と同様に、上記ひさし部４の前端部が顔面に張り付くこともなくなる。
【００２４】
図７は上記両実施の形態における堰止め片１１の変形例を示している。この例では、上記堰止め片１１は、ひさし部４の前端面４ａに沿うようにして、その前端面４ａから所定距離（例えば、１０〜２０ｍｍ）後方に寄った部分４ｂで外方・後側に折り返し、この折り返し片１１ａと、この折り返し片１１ａに対応する上記ひさし部４の部分とを、上記折り返したことにより形成される折り返し部４ｂにおいて、その全幅にわたって連続的に熱圧着したもので、構成されている。それ以外の部分は上記両実施の形態における堰止め片１１と同様であり、同様の部分には同じ符号を付している。また、上記両実施の形態における堰止め片１１に代えて、この例の堰止め片１１を設けた場合にも、上記両実施の形態と同様の作用・効果を奏する。
【００２５】
なお、上記両実施の形態では、折り返し部４ｂが略一直線状に形成されているが、これに限定するものではなく、ひさし部４の形状に合わせて各種形状に形成することができる。また、上記両実施の形態では、レインコート自体の構造は示されていないが、ズボンと、コートと、このコートに着脱自在に装着されるフード１とからなるセパレートタイプのもの等、各種タイプのものが用いられる。
【００２６】
【考案の効果】
以上のように、本考案のレインコートのフードによれば、フードの上面を流下してきた雨水は、上記フードと、（このフードの前面開口部の前端面に沿うようにして上記前端面もしくはその後側近傍部から後方に延びる）堰止め片との間に形成される隙間内に流入し、上記堰止め片で堰止められたのち、この堰止め片に沿って上記隙間内を流下し、上記隙間から流出するため、フードの前端面から顔面に流れ落ちることがなくなる。しかも、上記フードの前端面もしくはその後側近傍部から堰止め片を後方に延ばしているため、上記フードの前端面もしくはその後側近傍部が堰止め片で補強されて強度が増しており、顔面に張り付くこともなくなる。
【００２７】
本考案において、上記前面開口部の前端面に沿うようにして上記フードを、その前端面から所定距離後方に寄った部分で後側に折り返し、この折り返し片と、この折り返し片に対向する上記フードの部分との間に所定の隙間を保持することにより、上記折り返し片で上記堰止め片を構成するようにした場合には、上記フードを折り返すことで、上記堰止め片を設けることができるため、この堰止め片をフードと別体で作製する必要がなく、部品点数が少なく、在庫管理等の管理面が簡単化される。
【００２８】
本考案において、上記前面開口部の前端面に沿うようにして上記フードを、その前端面から所定距離後方に寄った部分で後側に折り返し、この折り返し片をその前端面に沿うようにして上記折り返し片の中央部分から前側に折り曲げ、この折り曲げ部分の前側縁部を上記折り返し片の前側縁部に固着し、この折り返し片と、この折り返し片に対向する上記フードの部分との間に所定の隙間を保持することにより、上記折り返し片で上記堰止め片を構成するようにした場合には、上記フードを折り返すことで、上記堰止め片を設けることができるため、この堰止め片をフードと別体で作製する必要がなく、部品点数が少なく、在庫管理等の管理面が簡単化される。しかも、上記折り返し片が二重壁構造になるため、その強度が強くなる。しかも、上記二重壁構造間に形成される空間が緩衝作用をし、風等の影響を受けても、この影響を弱めることができるため、フードの前側部分が風等により顔面に張り付くことが殆どなくなる。
【００２９】
本考案において、上記折り返したことにより形成される折り返し部において、その全幅にわたり連続的に、上記折り返し片と、この折り返し片に対向する上記フードの部分とが固着されている場合には、この固着により、上記折り返し部の強度が大きく向上し、フードの前側部分が顔面に張り付くことがなくなる。しかも、上記折り返し部の全幅にわたり連続的に固着しているため、上記強度が非常に強くなる。
【００３０】
本考案において、上記折り返したことにより形成される折り返し部において、部分的に、上記折り返し片と、この折り返し片に対向する上記フードの部分とが固着されている場合には、この固着により、上記折り返し部の強度が大きく向上し、フードの前側部分が顔面に張り付くことがなくなる。
【００３１】
本考案において、上記フードが、頭部を覆う袋部と、この袋部の前面開口部に設けたひさし部とからなり、このひさし部の前面開口部の前端面に沿うようにして上記前端面もしくはその後側近傍部から堰止め片を、上記ひさし部の上面との間に所定の隙間を保持しながら後方に延ばし、上記ひさし部が透明な合成樹脂シートで形成され、上記袋部とは別体に作製されている場合には、袋部と、透明な合成樹脂シートで形成されたひさし部とが別体に作製されているものに、本考案のレインコートのフードを用いることができる。
【００３２】
本考案において、上記フードが、頭部を覆う袋部と、この袋部の前面開口部に設けたひさし部とからなり、このひさし部の前面開口部の前端面に沿うようにして上記前端面もしくはその後側近傍部から堰止め片を、上記ひさし部の上面との間に所定の隙間を保持しながら後方に延ばし、上記袋部とひさし部とが同じ材質の合成樹脂シートで一体成形されている場合には、袋部とひさし部とが同じ材質の合成樹脂シートで一体成形されているものに、本考案のレインコートのフードを用いることができる。
【００３３】
本考案において、上記袋部の前面開口部の全体からひさし部が突設している場合には、このひさし部で、上記袋部の前面開口部から露出する顔面の全体に雨水が当たるのを防ぐことができる。
【００３４】
本考案において、上記フードが、頭部を覆う袋部と、この袋部の前面開口部の全体から突設した透明な合成樹脂シート製のひさし部とからなり、上記ひさし部が、上記袋部とは別体に作製され、上記ひさし部の前面開口部の前端面に沿うようにして上記ひさし部を、その前端面から所定距離後方に寄った部分で後側に折り返し、この折り返し片をその前端面に沿うようにして上記折り返し片の中央部分から前側に折り曲げ、上記折り返したことにより形成される折り返し部において、その全幅にわたり連続的に、上記折り曲げ部分の前側縁部と、上記折り返し片の前側縁部と、これら両前側縁部に対向する上記ひさし部の部分とを固着し、上記折り返し片と、この折り返し片に対向する上記フードの部分との間に所定の隙間を保持することにより、上記折り返し片で上記堰止め片を構成した場合には、袋部と透明な合成樹脂シート製のひさし部とが別体に作製されているものに、本考案のレインコートのフードを用いることができる。しかも、上記ひさし部が袋部の前面開口部の全体から突設しているため、上記ひさし部で、袋部の前面開口部から露出する顔面の全体に雨水が当たるのを防ぐことができる。しかも、上記ひさし部を折り返すことで、上記堰止め片を設けることができるため、この堰止め片をひさし部と別体で作製する必要がなく、部品点数が少なく、在庫管理等の管理面が簡単化される。しかも、上記折り返し片が二重壁構造になっているため、その強度が強い。しかも、上記二重壁構造間に形成される空間が緩衝作用をし、風等の影響を受けても、この影響を弱めることができるため、ひさし部の前側部分が風等により顔面に張り付くことが殆どなくなる。しかも、上記固着により、上記折り返し部の強度が大きく向上し、ひさし部の前側部分が顔面に張り付くことがなくなる。しかも、上記折り返し部の全幅にわたり連続的に固着しているため、上記折り返し部の強度が非常に強くなる。
【００３５】
本考案において、上記フードと堰止め片とがそれぞれ別体である場合には、上記ひさし部と堰止め片の形状をそれぞれ関係なく設定することができ、上記形状における設計の自由度が増える。
【００３６】
本考案において、上記堰止め片が、一枚のシートをフードの前面開口部の前端面に沿うようにして上記シートの中央部分から折り曲げたのち重なり合う側縁部同士を接合したものである場合には、上記堰止め片が二重壁構造になり、上記堰止め片の強度が強くなるうえ、上記二重壁構造間に形成される空間が緩衝作用をし、風等の影響を受けても、この影響を弱めることができるため、フードの前側部分が風等により顔面に張り付くことが殆どなくなる。
【図面の簡単な説明】
【図１】本考案のレインコートのフードの一実施の形態を示す側面図である。
【図２】上記フードを開いた状態を示す正面図である。
【図３】上記フードの要部の説明図である。
【図４】上記フードの要部の断面図である。
【図５】折り返し片の形成方法を示す説明図である。
【図６】本考案のレインコートのフードの他の実施の形態を示す側面図である。
【図７】上記折り返し片の変形例を示す断面図である。
【図８】従来例の説明図である。
【符号の説明】
１　フード
１１　堰止め片
【図１】
0003098290.tif 000003
【図２】
0003098290.tif 000004
【図３】
0003098290.tif 000005
【図４】
0003098290.tif 000006
【図５】
0003098290.tif 000007
【図６】
0003098290.tif 000008
【図７】
0003098290.tif 000009
【図８】
0003098290.tif 000010